【事件の表示】
　特願２０００−１４９０５４「遊技機」拒絶査定不服審判事件〔平成１３年１１月　６日出願公開、特開２００１−３１００２０〕について、次のとおり審決する。
【結　論】
　本件審判の請求は、成り立たない。
【理　由】
　　
第一．手続きの経緯・本願発明　
　本願は、平成１２年４月２８日に出願した特願２０００−１３０４６５号の一部を平成１２年５月１９日に新たな出願としたものであって、平成１６年８月３０日付けで拒絶理由が通知され、これに対し、同年１１月５日付けで手続補正がなされ、平成１７年２月２１日付けで最後の拒絶理由が通知され、これに対し、同年５月２日付けで手続補正がなされ、同年１０月２６日付けで、前記平成１７年５月２日付けの手続補正の却下の決定がなされるとともに拒絶査定がなされ、これに対し、平成１７年１２月２２日付けで審判請求がなされるとともに、平成１８年１月２３日付けで手続補正がなされ、その後、当審において平成２０年４月２２日付けで、前記平成１８年１月２３日付けの手続補正が却下されるとともに拒絶理由通知がなされ、これに対し、平成２０年６月２７日付けで手続補正がなされたものである。
　そして、本願の請求項１及び２に係る発明は、上記平成２０年６月２７日付け手続補正によって補正された特許請求の範囲の請求項１及び２に記載されたとおりのものと認められるところ、その請求項１に記載された発明は次のとおりのものである。
　　　
　【請求項１】
　遊技機の遊技盤の側端部に配設される遊技機用装飾部材を備えた遊技機であって、
　前記遊技機用装飾部材は、
　前記遊技機用装飾部材上で遊技盤の中心側に配設され、遊技球が入賞可能な回転式入賞口と、
　前記遊技機用装飾部材上で前記回転式入賞口の近傍、且つ、前記回転式入賞口に対して遊技盤の側端側に設けられ遊技球が流下可能である遊技球誘導路とを備え、
　当該遊技球誘導路は、前記回転式入賞口の側壁部と、前記遊技機用装飾部材の底板上で前記回転式入賞口の側壁部と対向する側端側に凸設されている弓形の側壁部とにより形成され、
　当該遊技球誘導路の下端部は、前記遊技盤上で前記装飾部材の斜め下方に設けられた大入賞口へ遊技球を案内する方向へ向けて形成されていることを特徴とする遊技機。（以下「本願発明」という。）
　
第二．当審の拒絶理由通知に引用された刊行物に記載された発明　
　刊行物１：特開平１０−２３００４４号公報　
　刊行物２：特開平８−２５２３５５号公報
　　　
　当審の拒絶理由通知に引用され、本願出願前に頒布された特開平１０−２３００４４号公報（以下、「引用刊行物１」という。）には、次の事項が記載されている。
　（１ａ）「【特許請求の範囲】
【請求項１】  遊技盤を略円形に仕切るレールの内側側部に近接して配設される肩構造物において、
入球口と球流出口とを有する球誘導路を設け、前記球流出口を前記レールから離間する方向に開口させたことを特徴とする遊技機用肩構造物。」、
　（１ｂ）「【０００１】
【発明の属する技術分野】本発明は、パチンコ機等の遊技機の遊技盤を略円形に仕切るレールの内側側部に近接して配設される肩構造物に関する。」、
　（１ｃ）「【０００８】
【発明の実施の形態】以下、本発明の一実施の形態を図面を用いて説明すると、図１は第１の実施形態を適用したパチンコ遊技機の本体１０を正面図により示したものである。・・・
【０００９】・・・そして、両平板型風車１８の側方には仕切りレール１２ｂに沿って左球誘導路付肩電飾２０ａ及び右球誘導路付肩電飾２０ｂが設けられている。
【００１０】左球誘導路付肩電飾２０ａ（２０ａ、２０ｂは左右対称形状であり、以下２０ａについて説明する）は、図２〜図５に示すように、遊技盤１１の前面に取り付けられる取付台２１を有している。取付台２１は、縦長の樹脂製の薄板であり、左側縁２１ａ（以下、左右方向については、遊技盤前面側から視た方向とする）が仕切りレール１２ｂに沿った弓形であり、右側端２１ｂが上半分が上下方向に真直で中間位置にて外側に向けて円弧状に曲げられて突出した曲部２１ｂ1 になっており、下半分が円弧形凸部２１ｂ1 先端から真直でかつわずかに左下に向けて傾斜した傾斜部２１ｂ2 になっている。・・・取付台２１の略左半分には、上下端近傍を除いて前面側に膨出した箱形のランプケース２２が配設されている。
【００１１】取付台２１の曲部２１ｂ1 には、右側壁部２３が取付台２１に垂直に立設されている。また、ランプケース２２の右側縁の略上下中間位置からは、左側壁部２４が右側壁部２３に平行に傾斜部２１ｂ2 まで延設されている。右側壁部２３、ランプケース２２の右側縁及び左側壁部２４とに挟まれて、誘導路Ｐが配設されており、上端が入球口２５ａに、下端が球流出口２５ｂになっている。この誘導路Ｐの球流出口２５ｂ近傍部分の曲率は、仕切りレール１２ｂの曲率より大きくなるようにされている。取付台２１の左側縁２１ａ近傍の上下端には、遊技盤１１面にねじ止めするための取付孔２１ｅ，２１ｆが設けられている。」、　
　（１ｄ）「【００１４】以上のように構成した第１の実施形態においては、遊技盤１１の仕切りレール１２ｂの内側近傍を落下する遊技球Ｂの内、球誘導路付肩電飾２０ａの上端の入球口２５ａに入球した遊技球については、図４に示すように、誘導路Ｐを通って下端の球流出口２５ｂから外部に流出する。ここで、誘導路Ｐの球流出口２５ｂ近傍部分の曲率は、仕切りレール１２ｂの曲率より大きくされ、誘導路Ｐの延長方向が遊技盤１１の中央方向を向いているため、流出した遊技球はレール１２ｂに沿って落下してアウト球になることなく、レール１２ｂから離れて確実に遊技盤１１の中央方向に向けて誘導され、再度遊技に参加できるようになる。
【００１５】すなわち、流出した遊技球が、遊技盤面に設けられた入賞口１４ｂ〜１４ｅ、大入賞口１５ｂ，始動口１５ｃに入球し易くなり、遊技者にとって、賞球の払い出し、図柄表示装置の変動表示、役物の変動等の利益を得る可能性が高められる。また、ランプ３２を点滅させることにより、誘導路Ｐ及び誘導路を通過する遊技球をより明確に示すことができ、視覚的な面白味がさらに高められる。また、ランプハウス自体の装飾性に加えてランプを点滅させることにより、球誘導装置全体の装飾効果も高められる。
【００１６】つぎに、上記第１の実施形態の変形例について説明する。変形例１においては、球誘導路付肩電飾２０ｃは、図７に示すように、取付台２１の上端近傍部分に、右側壁部２３の右側に突出した突出部２８を設け、突出部２８に誘導路Ｐの入球口２５ａと並んで入賞口２９を設けたものである。これにより、遊技盤１１内の両側部を落下する遊技球について、入球口２５ａへの入球による遊技盤１１中央方向への誘導と、入賞口２９への入球の可能性が与えられる。・・・
【００１７】つぎに、第２の実施形態について説明する。・・・」、　
　（１ｅ）「【００３１】また、上記各実施形態においては、球誘導装置は、取付台にランプケース及びランプを設けた肩電飾タイプになっているが、・・・さらに、球誘導装置の誘導路の平面形状も単純な曲線状である必要はなく、複雑な曲がり形状であってもよく、球排出口から流出する遊技球が遊技領域の中央方向に向くような構造であればよい。」。
　
　（１ｆ）正面図である【図１】には「遊技盤１１の左右側端部に各々配設される左球誘導路付肩電飾２０ａ及び右球誘導路付肩電飾２０ｂ」及び「左球誘導路付肩電飾２０ａ及び右球誘導路付肩電飾２０ｂの斜め下方に設けられた大入賞口１５ｂ」の技術事項が、また、第１の実施形態である【図２】乃至【図４】を参酌すれば、第１の実施形態の変形例１である【図７】には、「取付台２１の右側上端近傍部に配設された入賞口２９」及び「入賞口２９と、取付台２１上で前記入賞口２９の近傍、且つ、前記入賞口２９に対して左側に設けられる誘導路Ｐとを備えた球誘導路付肩電飾２０ｃ」並びに「入賞口２９の近傍に配設された曲線状の右側壁部２３と、球誘導路付肩電飾２０ｃの取付台２１上で前記右側壁部２３と対向する左側に凸設されている曲線状の側壁部とにより形成された誘導路Ｐ」の技術事項が、それぞれ示されている。
　　　　　　
　（１ｇ）第１の実施形態の変形例について、上記【００１６】における「これにより、
遊技盤１１内の両側部を落下する遊技球
入球口２５ａへの入球
入賞口２９への入球
　そうすると、上記（１ｆ）記載の「左球誘導路付肩電飾２０ａ及び右球誘導路付肩電飾２０ｂの斜め下方に設けられた大入賞口１５ｂ」は、「肩構造物の斜め下方に設けられた大入賞口１５ｂ」と、表現することができる。さらに、球誘導路付肩電飾２０ｃに関する上記（１ｆ）記載の「取付台２１の右側上端近傍部に配設された入賞口２９」は、「取付台２１上で遊技盤１１の中心側に配設された入賞口２９」と、表現することができる。同様に、「入賞口２９と、取付台２１上で前記入賞口２９の近傍、且つ、前記入賞口２９に対して左側に設けられる誘導路Ｐとを備えた球誘導路付肩電飾２０ｃ」は「入賞口２９と、取付台２１上で前記入賞口２９の近傍、且つ、前記入賞口２９に対して遊技盤１１の側端側に設けられる誘導路Ｐとを備えた遊技機用肩構造物」と、「入賞口２９の近傍に配設された曲線状の右側壁部２３と、球誘導路付肩電飾２０ｃの取付台２１上で前記右側壁部２３と対向する左側に凸設されている曲線状の側壁部とにより形成された誘導路Ｐ」は「入賞口２９の近傍に配設された曲線状の側壁部２３と、遊技機用肩構造物の取付台２１上で前記曲線状の側壁部２３と対向する側端側に凸設されている曲線状の側壁部とにより形成された誘導路Ｐ」と、それぞれ表現することができる。
　
　そこで、上記の「第１の実施形態の変形例」についてまとめると、引用刊行物１には、
　「遊技機の遊技盤１１の側端部に配設される遊技機用肩構造物を備えた遊技機であって、
　前記遊技機用肩構造物は、
　遊技盤１１の前面に取り付けられる取付台２１と、前記取付台２１上で遊技盤１１の中心側に配設され、遊技球が入球可能な入賞口２９と、
　前記取付台２１上で前記入賞口２９の近傍、且つ、前記入賞口２９に対して遊技盤１１の側端側に設けられ遊技球が通過する誘導路Ｐとを備え、
　当該誘導路Ｐは、前記入賞口２９の近傍に配設された曲線状の側壁部２３と、前記遊技機用肩構造物の取付台２１上で前記曲線状の側壁部２３と対向する側端側に凸設されている曲線状の側壁部とにより形成され、
　当該誘導路下端の球流出口２５ｂを仕切りレール１２ｂから離間する方向に開口させたため、球流出口２５ｂから外部に流出した遊技球は遊技盤１１の中央方向に向けて誘導され、前記肩構造物の斜め下方に設けられた大入賞口１５ｂに入球し易くなる、遊技機。」の発明（以下、「引用発明１」という。）が記載されていると認められる。
　　　　 　
　当審の拒絶理由通知に引用され、本願出願前に頒布された特開平８−２５２３５５号公報（以下、「引用刊行物２という。）には、以下の記載がある。
　（２ａ）「【０００１】
【産業上の利用分野】本発明は、パチンコ機の前面枠に装着されるランプ飾り、または遊技盤面に装着される入賞装置、ランプ飾り、レール飾り等の遊技盤面電飾部材の内部に設けられて、その内部から照らす豆ランプの取付構造に関するものである。」　
　（２ｂ）「【００１２】前記ランプ飾り１０は、図２乃至図５に示すように、遊技盤３面に取り付けられる取付基板１６とこの取付基板１６の前面に装着される透光性合成樹脂製のレンズ部材１７とからなり、・・・前記台部２０の上に設けられる軸受盤２７を介してモータ１８によって一定方向へ常時回転する回転体２８が装着される。・・・
【００１３】そして、前記ランプ飾り１０は、前記通過チャッカー８の権利発生の状態において、回転体２８の球保持部３２がガイド枠２９の上部に備える球待機部３３と一致したとき、その待機部３３に位置するパチンコ球を球保持部３２に受け入れて下方へ運び、回転体２８の球保持部３２から球通路３１を通過するパチンコ球が入賞球検知器２１により検出されて「大当り」の権利が確定となり、同時に、大入賞口１１の可動翼片を一定時間（例えば約１０秒）経過するまでの間、又は所定個数（例えば１０個）のパチンコ球が入賞するまで開かれる。又、前記ランプ取付筒２６には豆ランプ２４が差込孔２５からレンズ部材１７の内部空間に臨ませて装着され、そしてこの豆ランプ２４は常時点灯することによりランプ飾り１０の装飾性が高められるようにする。」　
　　　　　　
　したがって、引用刊行物２には、
　「モータ１８によって一定方向へ常時回転する回転体２８が装着されるランプ飾り１０を備えたパチンコ機であって、
　通過チャッカー８の権利発生の状態において、回転体２８の球保持部３２がガイド枠２９の上部に備える球待機部３３に位置するパチンコ球を球保持部３２に受け入れて下方へ運び、回転体２８の球保持部３２から球通路３１を通過するパチンコ球が入賞球検知器２１により検出されて「大当り」の権利が確定となり、同時に、大入賞口１１の可動翼片を一定時間（例えば約１０秒）経過するまでの間、又は所定個数（例えば１０個）のパチンコ球が入賞するまで開かれる、パチンコ機。」の発明（以下、「引用発明２」という。）が記載されていると認められる。
　　　　　
第三．対比・検討　
　本願発明と引用発明１とを対比する。
　（第三．ａ）引用発明１の「遊技機」は本願発明１の「遊技機」に相当し、以下同様に、「遊技盤１１」は「遊技盤」に、「側端部」は「側端部」に、「遊技機用肩構造物」は「遊技機用装飾部材」に、「遊技球」は「遊技球」に、「側端側」は「側端側」に、「遊技球が通過する誘導路Ｐ」は「遊技球が流下可能である遊技球誘導路」に、「取付台２１」は「底板」に、「側端側に凸設」は「側端側に凸設」に、「肩構造物の斜め下方に設けられた大入賞口１５ｂ」は「装飾部材の斜め下方に設けられた大入賞口」に、それぞれ相当する。また、引用発明１の「取付台２１上で」の事項については、取付台２１は遊技機用肩構造物に備えられているから、本願発明の「遊技機用装飾部材上で」の事項と共通する。
　（第三．ｂ）引用発明１の「入球可能な入賞口２９」は、本願発明の「入賞可能な回転式入賞口」と比較して「入賞可能な入賞口」において共通し、引用発明１の「入賞口２９の近傍に配設された曲線状の側壁部２３」は、本願発明の「回転式入賞口の側壁部」と比較して「入賞口側の側壁部」において共通し、引用発明１の「曲線状の側壁部２３と対向する側端側に凸設されている曲線状の側壁部」は、本願発明の「回転式入賞口の側壁部と対向する側端側に凸設されている弓形の側壁部」と比較して「入賞口側の側壁部と対向する側端側に凸設されている歪んだ側壁部」において共通する。
　（第三．ｃ）引用発明１の「誘導路Ｐ下端の球流出口２５ｂ」について検討すると、「球流出口２５ｂから外部に流出した遊技球は遊技盤１１の中央方向に向けて誘導され、肩構造物の斜め下方に設けられた大入賞口１５ｂに入球し易くなる」のであるから、引用発明１には本願発明１の「遊技球誘導路の下端部は、遊技盤上で装飾部材の斜め下方に設けられた大入賞口へ遊技球を案内する方向へ向けて形成されている」に相当する技術が記載されていると認められる。
　　
　そうすると、両者は、　
　「遊技機の遊技盤の側端部に配設される遊技機用装飾部材を備えた遊技機であって、
　前記遊技機用装飾部材は、
　前記遊技機用装飾部材上で遊技盤の中心側に配設され、遊技球が入賞可能な入賞口と、
　前記遊技機用装飾部材上で前記入賞口の近傍、且つ、前記入賞口に対して遊技盤の側端側に設けられ遊技球が流下可能である遊技球誘導路とを備え、
　当該遊技球誘導路は、前記入賞口側の側壁部と、前記遊技機用装飾部材の底板上で前記入賞口側の側壁部と対向する側端側に凸設されている歪んだ側壁部とにより形成され、
　当該遊技球誘導路の下端部は、前記遊技盤上で前記装飾部材の斜め下方に設けられた大入賞口へ遊技球を案内する方向へ向けて形成されている、遊技機。」の点で一致し、次の点で相違する。
　
　相違点（Ａ）
　入賞口が、本願発明では回転式であるのに対し、引用発明１では回転式であるかどうか明らかでない点。
　相違点（Ｂ）
　遊技球誘導路が、本願発明では入賞口の側壁部と弓形の側壁部とにより形成されるのに対し、引用発明１では入賞口の近傍に配設された側壁部と曲線状の側壁部とにより形成される点。
　　　　　
　そこで、上記相違点について検討する。
　相違点（Ａ）について　　
　引用発明２における「一定方向へ常時回転する回転体２８」は、パチンコ球を回転体２８の球保持部３２に受け入れて下方へ運び、球保持部３２から球通路３１を通過させて「大当り」の権利を確定させるものであるから、本願発明の「回転式入賞口」に相当する構成を有しているといえる。そうすると、引用発明１及び２は「入賞口を備えた遊技機用装飾部材」において共通しているから、引用発明１の入賞口に引用発明２の「回転体」を適用し、相違点（Ａ）に係る本願発明を特定する事項とすることは、当業者が容易になし得ることである。
　相違点（Ｂ）について　
　近傍に配設された複数の部材を、構造の単純化や部品数の減少などを目的として、一体化することは普通に行われている技術事項であり、また、部材の具体的な形状をどのようなものとするかは当業者が適宜なし得る設計上の事項であるから、　引用発明１の「入賞口の近傍に配設された側壁部」を「入賞口の側壁部」とし、また同「曲線状の側壁部」を「弓形の側壁部」として、相違点（Ｂ）に係る本願発明を特定する事項とすることは、当業者が容易になし得ることである。
　　
　また、効果において、引用刊行物１には、上記（１ｄ）の欄【００１６】に記載のように、「遊技盤１１内の両側部を落下する遊技球について、入球口２５ａへの入球による遊技盤１１中央方向への誘導・・・が与えられる。」と記載されているから、本願発明による効果に格別のものは認められない。　
　　　　　
第四．むすび
　以上のとおり、本願発明は、当審の拒絶理由通知に引用された上記引用発明１及び２に基づいて当業者が容易に発明をすることができたものであるから、本願の他の請求項に係る発明について検討するまでもなく、本願は、特許法第２９条第２項の規定により、特許を受けることができない。
　
　よって、結論のとおり審決する。